(57)【要約】【課題】情報端末装置に表示された情報ののぞき見による漏洩を低減しつつ、かつ利用者本人の視認性を低下させることなく情報を利用者に閲覧させる。【解決手段】秘匿したい情報を含む表示画像を、秘匿したい情報が操作パネル６の表示内容だけでは判読できないように、操作パネル６に表示するための第１画像とＨＭＤ９に表示するための第２画像とに分割する画像分割部１２と、操作パネル６が搭載された情報表示装置１０に対するＨＭＤ９の位置関係に基づいて第１画像に対する第２画像のずれを補正する画像補正部１８と、操作パネル６に第１画像を、ＨＭＤ９に補正された第２画像を表示するよう制御する表示制御部１４と、を有する。【選択図】図１６
2015184920.tif 000002
【特許請求の範囲】
【請求項１】
表示手段と、
撮影手段と、
前記装着型表示機器を装着した利用者が前記表示手段を見るときに前記表示手段と対向する前面に設けられた基準位置部材を有し、利用者の装着時に透過型表示画面が利用者の目の前に位置するよう形成された、前記透過型表示画面を搭載した装着型表示機器を接続する接続手段と、
表示画像を、第１画像と前記表示画像の前記第1画像以外の部分からなる第２画像とに分割する分割手段と、
前記情報端末装置に対して前記装着型表示機器が基準位置にあるときに前記撮影手段により撮影された前記装着型表示機器の撮像データから前記装着型表示機器に関する基準情報を取得する取得手段と、
前記表示画像が表示されるときに前記表示手段を見る利用者装着の前記装着型表示機器が撮影されたことで取得された撮像データ及び前記基準情報に基づいて、前記表示手段及び前記透過型表示画面それぞれに分割して表示される前記第１画像及び前記第２画像によって前記表示画像が形成されるように前記第２画像を補正する補正手段と、
前記第１画像を前記表示手段に表示すると共に前記補正手段により補正された前記第２画像を前記透過型表示画面に表示するよう制御する表示制御手段と、
を有することを特徴とする情報表示装置。
【請求項２】
前記分割手段は、前記表示画像が秘匿情報を含む場合に、前記秘匿情報が第１画像のみでは判読できないように、又は秘匿情報が第２画像のみに含まれるように前記第１画像及び前記第２画像に分割することを特徴とする請求項１に記載の情報表示装置。
【請求項３】
前記補正手段は、前記撮影手段による撮影により得られた撮像データに含まれる前記基準位置部材の大きさと前記基準情報から得られる前記基準位置部材の大きさとの関係に基づいて前記分割手段による分割により生成された前記第２画像の大きさを調整することで前記第１画像と前記第２画像との画像の大きさのずれを補正することを特徴とする請求項１に記載の情報表示装置。
【請求項４】
前記補正手段は、前記撮影手段による撮影により得られた撮像データに含まれる前記基準位置部材の位置と前記基準情報から得られる前記基準位置部材の位置との関係に基づいて前記分割手段による分割により生成された前記第２画像の前記透過型表示画面における表示位置を調整することで前記第１画像と前記第２画像との位置ずれを補正することを特徴とする請求項１に記載の情報表示装置。
【請求項５】
前記補正手段は、前記撮影手段による撮影により得られた撮像データに含まれる前記装着型表示機器の大きさと前記基準情報から得られる前記装着型表示機器の大きさとの関係に基づいて前記分割手段による分割により生成された前記第２画像を歪ませることで前記第１画像に対する前記第２画像の傾きを補正することを特徴とする請求項１に記載の情報表示装置。
【請求項６】
利用者の装着時に、搭載した透過型表示画面が利用者の目の前に位置するように形成された装着型表示機器と、
撮影手段及び表示手段を有する情報端末装置と、
を有し、
前記装着型表示機器は、前記装着型表示機器を装着した利用者が前記表示手段を見るときに前記表示手段と対向する前面に設けられた基準位置部材を有し、
前記情報端末装置は、
前記装着型表示機器を接続する接続手段と、
表示画像を、第１画像と前記表示画像の前記第1画像以外の部分からなる第２画像とに分割する分割手段と、
前記情報端末装置に対して前記装着型表示機器が基準位置にあるときに前記撮影手段により撮影された前記装着型表示機器の撮像データから前記装着型表示機器に関する基準情報を取得する取得手段と、
前記表示画像が表示されるときに前記表示手段を見る利用者装着の前記装着型表示機器が撮影されたことで取得された撮像データ及び前記基準情報に基づいて、前記表示手段及び前記透過型表示画面それぞれに分割して表示される前記第１画像及び前記第２画像によって前記表示画像が形成されるように前記第２画像を補正する補正手段と、
前記第１画像を前記表示手段に表示すると共に前記補正手段により補正された前記第２画像を前記透過型表示画面に表示するよう制御する表示制御手段と、
を有することを特徴とする情報表示システム。
【請求項７】
前記装着型表示機器の上下端それぞれに前記装着型表示機器の高さを示すための高さ指示部材が配設されることを特徴とする請求項６に記載の情報表示システム。
【請求項８】
前記装着型表示機器の左右端それぞれに前記装着型表示機器の幅を示すための幅指示部材が配設されることを特徴とする請求項６に記載の情報表示システム。
【請求項９】
撮影手段が搭載されたコンピュータを、
表示手段、
前記装着型表示機器を装着した利用者が前記表示手段を見るときに前記表示手段と対向する前面に設けられた基準位置部材を有し、利用者の装着時に透過型表示画面が利用者の目の前に位置するよう形成された、前記透過型表示画面を搭載した装着型表示機器を接続する接続手段、
表示画像を、第１画像と前記表示画像の前記第1画像以外の部分からなる第２画像とに分割する分割手段、
前記情報端末装置に対して前記装着型表示機器が基準位置にあるときに前記撮影手段により撮影された前記装着型表示機器の撮像データから前記装着型表示機器に関する基準情報を取得する取得手段、
前記表示画像が表示されるときに前記表示手段を見る利用者装着の前記装着型表示機器が撮影されたことで取得された撮像データ及び前記基準情報に基づいて、前記表示手段及び前記透過型表示画面それぞれに分割して表示される前記第１画像及び前記第２画像によって前記表示画像が形成されるように前記第２画像を補正する補正手段、
前記第１画像を前記表示手段に表示すると共に前記補正手段により補正された前記第２画像を前記透過型表示画面に表示するよう制御する表示制御手段、
として機能させるためのプログラム。
【発明の詳細な説明】
【技術分野】
【０００１】
本発明は、情報表示装置、情報表示システム及びプログラムに関する。
【背景技術】
【０００２】
近年では、スマートホンやタブレット端末等の携帯端末がビジネスにも利用されてきており、例えば電車等公共の移動手段を利用した移動中に秘匿情報を含む業務文書を携帯端末を用いて閲覧する場合がある。この場合、背後の第三者に表示内容が閲覧されてしまう、いわゆるのぞき見による秘匿情報の漏洩を防止する技術として、携帯端末における秘匿情報の表示エリアの輝度を下げる技術（例えば、特許文献１）や、秘匿情報を隠蔽した状態で携帯端末に表示したりする技術が提案されている（例えば、特許文献２）。
【先行技術文献】
【特許文献】
【０００３】
【特許文献１】特開２０１１−１３３６４１号公報
【特許文献２】特開２０１１−１１８８４２号公報
【発明の概要】
【発明が解決しようとする課題】
【０００４】
本発明は、情報端末装置に表示された情報ののぞき見による漏洩を低減しつつ、かつ利用者本人の視認性を低下させることなく情報を利用者に閲覧させることを目的とする。
【課題を解決するための手段】
【０００５】
本発明に係る情報表示装置は、表示手段と、撮影手段と、前記装着型表示機器を装着した利用者が前記表示手段を見るときに前記表示手段と対向する前面に設けられた基準位置部材を有し、利用者の装着時に透過型表示画面が利用者の目の前に位置するよう形成された、前記透過型表示画面を搭載した装着型表示機器を接続する接続手段と、表示画像を、第１画像と前記表示画像の前記第1画像以外の部分からなる第２画像とに分割する分割手段と、前記情報端末装置に対して前記装着型表示機器が基準位置にあるときに前記撮影手段により撮影された前記装着型表示機器の撮像データから前記装着型表示機器に関する基準情報を取得する取得手段と、前記表示画像が表示されるときに前記表示手段を見る利用者装着の前記装着型表示機器が撮影されたことで取得された撮像データ及び前記基準情報に基づいて、前記表示手段及び前記透過型表示画面それぞれに分割して表示される前記第１画像及び前記第２画像によって前記表示画像が形成されるように前記第２画像を補正する補正手段と、前記第１画像を前記表示手段に表示すると共に前記補正手段により補正された前記第２画像を前記透過型表示画面に表示するよう制御する表示制御手段と、を有することを特徴とする。
【０００６】
前記分割手段は、前記表示画像が秘匿情報を含む場合に、前記秘匿情報が第１画像のみでは判読できないように、又は秘匿情報が第２画像のみに含まれるように前記第１画像及び前記第２画像に分割することを特徴とする。
【０００７】
また、前記補正手段は、前記撮影手段による撮影により得られた撮像データに含まれる前記基準位置部材の大きさと前記基準情報から得られる前記基準位置部材の大きさとの関係に基づいて前記分割手段による分割により生成された前記第２画像の大きさを調整することで前記第１画像と前記第２画像との画像の大きさのずれを補正することを特徴とする。
【０００８】
また、前記補正手段は、前記撮影手段による撮影により得られた撮像データに含まれる前記基準位置部材の位置と前記基準情報から得られる前記基準位置部材の位置との関係に基づいて前記分割手段による分割により生成された前記第２画像の前記透過型表示画面における表示位置を調整することで前記第１画像と前記第２画像との位置ずれを補正することを特徴とする。
【０００９】
また、前記補正手段は、前記撮影手段による撮影により得られた撮像データに含まれる前記装着型表示機器の大きさと前記基準情報から得られる前記装着型表示機器の大きさとの関係に基づいて前記分割手段による分割により生成された前記第２画像を歪ませることで前記第１画像に対する前記第２画像の傾きを補正することを特徴とする。
【００１０】
本発明に係る情報表示システムは、利用者の装着時に、搭載した透過型表示画面が利用者の目の前に位置するように形成された装着型表示機器と、撮影手段及び表示手段を有する情報端末装置と、を有し、前記装着型表示機器は、前記装着型表示機器を装着した利用者が前記表示手段を見るときに前記表示手段と対向する前面に設けられた基準位置部材を有し、前記情報端末装置は、前記装着型表示機器を接続する接続手段と、表示画像を、第１画像と前記表示画像の前記第1画像以外の部分からなる第２画像とに分割する分割手段と、前記情報端末装置に対して前記装着型表示機器が基準位置にあるときに前記撮影手段により撮影された前記装着型表示機器の撮像データから前記装着型表示機器に関する基準情報を取得する取得手段と、前記表示画像が表示されるときに前記表示手段を見る利用者装着の前記装着型表示機器が撮影されたことで取得された撮像データ及び前記基準情報に基づいて、前記表示手段及び前記透過型表示画面それぞれに分割して表示される前記第１画像及び前記第２画像によって前記表示画像が形成されるように前記第２画像を補正する補正手段と、前記第１画像を前記表示手段に表示すると共に前記補正手段により補正された前記第２画像を前記透過型表示画面に表示するよう制御する表示制御手段と、を有することを特徴とする。
【００１１】
また、前記装着型表示機器の上下端それぞれに前記装着型表示機器の高さを示すための高さ指示部材が配設されることを特徴とする。
【００１２】
また、前記装着型表示機器の左右端それぞれに前記装着型表示機器の幅を示すための幅指示部材が配設されることを特徴とする。
【００１３】
本発明に係るプログラムは、撮影手段が搭載されたコンピュータを、表示手段、前記装着型表示機器を装着した利用者が前記表示手段を見るときに前記表示手段と対向する前面に設けられた基準位置部材を有し、利用者の装着時に透過型表示画面が利用者の目の前に位置するよう形成された、前記透過型表示画面を搭載した装着型表示機器を接続する接続手段、表示画像を、第１画像と前記表示画像の前記第1画像以外の部分からなる第２画像とに分割する分割手段、前記情報端末装置に対して前記装着型表示機器が基準位置にあるときに前記撮影手段により撮影された前記装着型表示機器の撮像データから前記装着型表示機器に関する基準情報を取得する取得手段、前記表示画像が表示されるときに前記表示手段を見る利用者装着の前記装着型表示機器が撮影されたことで取得された撮像データ及び前記基準情報に基づいて、前記表示手段及び前記透過型表示画面それぞれに分割して表示される前記第１画像及び前記第２画像によって前記表示画像が形成されるように前記第２画像を補正する補正手段、前記第１画像を前記表示手段に表示すると共に前記補正手段により補正された前記第２画像を前記透過型表示画面に表示するよう制御する表示制御手段、として機能させるためのものである。
【発明の効果】
【００１４】
請求項１に記載の発明によれば、情報端末装置に表示された情報ののぞき見による情報の漏洩を低減しつつ、かつ利用者が装着型表示機器を利用した際の本人の視認性を低下させることなく情報を利用者に閲覧させることができる。
【００１５】
請求項２に記載の発明によれば、秘匿情報の漏洩を防止することができる。
【００１６】
請求項３に記載の発明によれば、情報表示装置と装着型表示機器との距離関係に伴う第１画像と第２画像との画像の大きさのずれを補正することができる。
【００１７】
請求項４に記載の発明によれば、情報表示装置に対する装着型表示機器の位置関係に伴う第１画像と第２画像との位置ずれを補正することができる。
【００１８】
請求項５に記載の発明によれば、情報表示装置に対する装着型表示機器の傾きに伴う第１画像に対する第２画像の傾きを補正することができる。
【００１９】
請求項６に記載の発明によれば、情報端末装置に表示された情報ののぞき見による情報の漏洩を低減しつつ、かつ利用者が装着型表示機器を利用した際の本人の視認性を低下させることなく情報を利用者に閲覧させることができる。
【００２０】
請求項７に記載の発明によれば、撮影データから装着型表示機器の幅が検出しやすくなる。
【００２１】
請求項８に記載の発明によれば、撮影データから装着型表示機器の高さが検出しやすくなる。
【００２２】
請求項９に記載の発明によれば、情報端末装置に表示された情報ののぞき見による情報の漏洩を低減しつつ、かつ利用者が装着型表示機器を利用した際の本人の視認性を低下させることなく情報を利用者に閲覧させることができる。
【図面の簡単な説明】
【００２３】
【図１】本発明に係る情報表示装置の実施の形態１を示したブロック構成図である。
【図２】実施の形態１における情報表示装置を形成するコンピュータのハードウェア構成図である。
【図３】実施の形態１における業務文書の一例を示した図である。
【図４】実施の形態１における操作パネルに表示される業務文書の分割画像の例を示した図である。
【図５】実施の形態１におけるＨＭＤに表示される業務文書の分割画像の例を示した図である。
【図６】実施の形態１における他の業務文書とその業務文書が操作パネル及びＨＭＤそれぞれに表示される業務文書の分割画像の例を示した図である。
【図７】実施の形態１における他の業務文書とその業務文書が操作パネル及びＨＭＤそれぞれに表示され、他の分割方法にて分割された業務文書の分割画像の例を示した図である。
【図８】実施の形態１における表示処理を示したフローチャートである。
【図９】図８における画像分割処理を示したフローチャートである。
【図１０】一般的な情報表示装置の操作パネルに表示されるメモ文書編集アプリケーションの表示の一例を示した概念図である。
【図１１】図１０の表示例に示した画像のうち、秘匿したい情報としてＨＭＤに表示させる分割画像の一例を示した概念図である。
【図１２】図１０の表示例に示した画像のうち、秘匿する必要のない情報として操作パネルに表示させる分割画像の一例を示した概念図である。
【図１３】一般的な情報表示装置の操作パネルに表示されるメールアプリケーションでの表示を一例を示した概念図である。
【図１４】図１３の表示例に示した画像のうち、秘匿したい情報としてＨＭＤに表示させる分割画像の一例を示した概念図である。
【図１５】図１３の表示例に示した画像のうち、秘匿する必要のない情報として操作パネルに表示させる分割画像の一例を示した概念図である。
【図１６】実施の形態２における情報表示装置のブロック構成図である。
【図１７】実施の形態２における情報表示装置の操作パネルとカメラのレンズとの位置関係を示す図である。
【図１８】実施の形態２において利用するＨＭＤの斜視図である。
【図１９】（ａ）は図１８に示したＨＭＤを上方から見たときの平面図、（ｂ）は図１８に示したＨＭＤを側方から見たときの側面図である。
【図２０】実施の形態２において基準位置関係にあるときのＨＭＤと情報表示装置との位置関係を示した図である。
【図２１】実施の形態２における表示処理を示したフローチャートである。
【図２２】図２１における画像補正処理を示したフローチャートである。
【図２３】実施の形態２における画像補正処理において取得された撮像データを示す図である。
【図２４】実施の形態２においてカメラ画像上における特定印画像と特定印との垂直方向の位置関係を示した図である。
【図２５】実施の形態２において情報表示装置に対するＨＭＤの水平方向の傾きを示した図である。
【図２６】実施の形態２において情報表示装置に対するＨＭＤの垂直方向の傾きを示した図である。
【発明を実施するための形態】
【００２４】
以下、図面に基づいて、本発明の好適な実施の形態について説明する。
【００２５】
実施の形態１．
図１は、本発明に係る情報表示システムの一実施の形態を示したブロック構成図である。本実施の形態における情報表示システムは、ヘッドマウントディスプレイ（Ｈｅａｄ  Ｍｏｕｎｔｅｄ  Ｄｉｓｐｌａｙ、以下「ＨＭＤ」）９及び情報表示装置１０を有している。情報表示装置１０は、スマートホンやタブレット端末等公共の場に持ち込んでの利用に適した携帯型のコンピュータを想定している。
【００２６】
ＨＭＤ９は、利用者の頭部に装着するタイプの装着型表示機器で、利用者の装着時に、透過型の表示画面が利用者の目の前に位置するよう形成された眼鏡型の形状を有した機器の利用を想定している。なお、厳密には、画像はＨＭＤ９に搭載された表示画面（液晶パネル）に表示されるが、以降の説明では、便宜的に「ＨＭＤ９に表示」とも記載し説明する。
【００２７】
図２は、本実施の形態における情報表示装置１０を形成するコンピュータのハードウェア構成図である。本実施の形態において情報表示装置１０を形成するコンピュータは、従前から存在する汎用的なハードウェア構成で実現できる。すなわち、コンピュータは、図２に示したようにＣＰＵ１、ＲＯＭ２、ＲＡＭ３、ハードディスクドライブ（ＨＤＤ）４、通信手段として設けられたネットワークコントローラ５及びユーザインタフェース手段として設けられた操作パネル６を内部バス７に接続して構成される。
【００２８】
図１に戻り、本実施の形態における情報表示装置１０は、画像取得部１１、画像分割部１２、ＨＭＤ接続部１３、表示制御部１４及び処理制御部１５を有している。なお、本実施の形態の説明に用いない構成については図１から省略している。
【００２９】
画像取得部１１は、情報表示システムで表示する画像を取得する。画像分割部１２は、分割手段として設けられ、画像取得部１１により取得された画像を、それぞれの画像のみでは容易に判読できないように第１画像と第１画像以外の部分からなる第２画像とに分割する。また、画像取得部１１により取得された画像が秘匿性のある情報（秘匿情報）を含む画像の場合、その画像を、秘匿情報が第１画像のみでは判読できないように、又は秘匿情報が第２画像のみに含まれるように、第１画像及び第２画像に分割してもよい。ＨＭＤ接続部１３は、接続手段として設けられ、ＨＭＤ９を情報表示装置１０に通信可能に接続する。接続形態は有線でも無線でもよい。表示制御部１４は、表示制御手段として設けられ、表示手段である操作パネル６に第１画像を表示すると共にＨＭＤ９に第２画像を表示するよう制御する。処理制御部１５は、各構成要素１１〜１４の動作制御を行う。また、動作制御を行うために必要な処理、具体的には文書の種類の判別、現在位置の検出等を行う。
【００３０】
情報表示装置１０における各構成要素１１〜１５は、情報表示装置１０を形成するコンピュータと、コンピュータに搭載されたＣＰＵ１で動作するプログラムとの協調動作により実現される。
【００３１】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３２】
続いて、本実施の形態における文書画像の表示処理を説明する前に、本実施の形態における表示処理を実施した結果、文書画像がどのように表示されるかということについて先に説明する。
【００３３】
図３は、情報表示装置１０への表示対象として利用者により選択された秘匿したい情報を含む業務文書の一例を示した図である。本実施の形態において便宜上「業務文書」というのは、第三者への情報漏洩を防止すべく秘匿したい情報を含む文書であることを意味している。これは、いわゆる「業務」に関する文書に限られるものではなく、利用者が作成する個人的なメール文書やメモのような、他人に見られたくない内容を含む文書であってもよい。本実施の形態における情報表示装置１０は、利用者による図３に例示した業務文書の表示要求に対して、図４及び図５にそれぞれ示した分割画像を生成する。図４に示した第１画像としての分割画像は、操作パネル６に表示するための分割画像であり、図５に示した第２画像としての分割画像は、ＨＭＤ９に表示するための分割画像である。分割画像をそれぞれ単独で閲覧しても、業務文書の記載内容は容易には確認できない。ところで、透過型のＨＭＤ９では分割画像の黒色部分が透過されるので、黒色部分の先にあるものは視認可能である。従って、利用者が操作パネル６を、図５に示した黒色部分に図４に示した表示された文字部分が合致するよう位置合わせをして見るのであれば、ＨＭＤ９に表示された分割画像と操作パネル６の表示された分割画像とが結合されるように見えることで、利用者が見える画像として図３に示した業務文書が形成される。このように、操作パネル６に表示された分割画像だけでは容易に判読ができない表示状態であるが、図５に示した分割画像が表示されたＨＭＤ９を介して操作パネル６に表示された分割画像を見ることで利用者のみが業務文書を判読可能になる。
【００３４】
表示対象として、図３〜図５は文字列から成る業務文書であるのに対し、図６及び図７は図形から成る業務文書の場合を示している。図６には、業務文書２１を格子状に分割し、各分割画像を操作パネル６及びＨＭＤ９に表示させる場合の例が示されている。図７には、業務文書２１を中心部分とその周囲部分とに分割し、中心部分を含む分割画像をＨＭＤ９に、周囲部分を含む分割画像を操作パネル６に、それぞれ表示させる場合の例が示されている。図７に例示した画像分割方法では、ＨＭＤ９のみに秘匿情報が含まれる可能性が高くなり、ＨＭＤ９の表示内容だけで秘匿情報が視認できるが、ＨＭＤ９への表示内容は第三者にのぞき見されることはないので秘匿情報は漏洩しない。
【００３５】
本実施の形態では、上記説明したように、秘匿情報を含む業務文書を分割して操作パネル６に表示した分割画像のみでは、秘匿情報が判読できないようにすることを特徴としている。そのためには、秘匿情報を分割して操作パネル６及びＨＭＤ９にそれぞれ表示させるか、秘匿情報がＨＭＤ９に表示される分割画像のみに含まれるよう業務文書を分割する必要がある。
【００３６】
まず、前者の場合において、秘匿情報が図３に例示したように文字列の場合、画像解析を行うことで文字列の並び、例えば文字列に含まれる各文字の下端を通る直線を基準線とする。そして上下に二分割する。つまり、文字列の中心を基準に上下に分割する。もちろん、これは分割方法の一例であって、文字がより確実に判読できないようにするために更に細かく三分割以上に分割してもよい。あるいは、図４，５に例示したように格子状に分割してもよい。また、図４，５では、分割画像の境界を直線としたが、波状の線や曲線としてもよい。また、例えば横書きの場合、縦方向に分割してもよい。また、秘匿情報が図６，７に例示したように図形の場合、図６，７に例示したように格子状、あるいは中心部分とその周囲部分というように領域分割してもよい。いずれにしても、本実施の形態においては、分割した一方の画像を参照しても視認性を低下させ文字列の判読困難にするよう分割することになる。
【００３７】
また、後者の場合、業務文書画像において秘匿情報の表示領域が予め決められていることが把握できる場合、その秘匿情報の表示領域に対応する画像を少なくとも含むように第２画像を形成し、ＨＭＤ９に表示してもよい。
【００３８】
また、秘匿情報に文字列と図形とが混在している場合、予め設定された分割方法、例えば常に格子状に分割する方法を採用するようにしてもよいし、画像解析を行って文字列と図形の各表示領域を特定し、その特定した領域毎に前述した分割処理を行うようにしてもよい。
【００３９】
なお、図３〜図６では表示対象の画像をほぼ均等に分割した例を示しているが、操作パネル６に表示する分割画像がＨＭＤ９に表示する分割画像より小さいサイズとなるように分割するなどして、更に操作パネル６だけでの視認性を更に低下させるようにしてもよい。
【００４０】
次に、本実施の形態における情報表示システムに画像を表示する表示処理について図８に示したフローチャートを用いて説明する。
【００４１】
まず、画像を表示させる情報表示システムの利用者は、ＨＭＤ９を予め頭部に装着した状態で情報表示装置１０の操作パネル４を操作するなどして表示対象の文書を指定する。表示対象の文書は、情報表示装置１０のＨＤＤ４に保存されている文書でもネットワーク経由で取得可能な文書でもよい。画像取得部１１は、利用者により指定された文書を取得する。画像取得部１１により取得された文書が業務文書でない場合（ステップ１１０でＮ）、表示制御部１４は、その文書をそのまま操作パネル６に表示する（ステップ１５０）。つまり、業務文書でなければ、取得した文書に対して後述する処理を施すことなく通常通りに文書全体を操作パネル６に表示すればよいことになる。なお、業務文書かどうかは、保存場所や文書名等予め決められた規則に従って業務文書が管理されている場合、その規則に基づいて判断してもよい。また、文書作成アプリケーションプログラムやメールの閲覧や作成アプリケーションプログラム等の文書閲覧や文書編集を行うアプリケーションプログラムの種類に基づいて業務文書かどうかを判断するようにしてもよい。さらに、利用者が操作パネル６を操作することにより、業務文書であることを指示するように構成してもよい。
【００４２】
画像取得部１１により取得された文書が業務文書の場合（ステップ１１０でＹ）、処理制御部１５は、続いて、利用者が業務文書を表示しようとしている現在の位置が公共の場であるかどうかを判断する。これは、情報表示装置１０が社内ネットワークに接続されているか、あるいはＧＰＳ機能が搭載されている場合には現在位置と事業所の位置情報を比較するなどして判断してよい。利用者が公共の場にいないと判断された場合（ステップ１２０でＮ）、表示制御部１４は、その文書を操作パネル６に表示する（ステップ１５０）。
【００４３】
一方、利用者が公共の場にいると判断された場合（ステップ１２０でＹ）、画像分割部１２は、次のようにして文書画像を分割する（ステップ１３０）。この画像分割処理について図９に示したフローチャートを用いて処理の流れについて簡単に説明する。なお、公共の場というのは、操作パネル６に表示された業務文書が第三者によって見られる可能性があることによって秘匿情報が漏洩する可能性のある場所のことをいう。さらに、利用者が操作パネル６を操作することにより、利用者自身が公共の場にいるか否かを指示するように構成してもよい。
【００４４】
ところで、ＨＭＤ９には、両目の前に表示画面が位置する両眼タイプと片方の目だけに表示画面が位置する単眼タイプとがある。情報表示装置１０に接続されたＨＭＤ９がどちらのタイプであるかは事前に把握できる。画像分割部１２は、ＨＭＤ９が両眼タイプの場合（ステップ１３１でＹ）、文書画像を３分割し（ステップ１３２）、ＨＭＤ９が単眼タイプの場合（ステップ１３１でＮ）、文書画像を２分割する（ステップ１３３）。
【００４５】
ところで、本実施の形態では、前述したように表示対象の文書画像を分割し、その分割画像を操作パネル６とＨＭＤ９それぞれに表示することを特徴としている。ＨＭＤ９が両眼タイプの場合、左右の目それぞれに対応した表示画面と操作パネル６とで合わせて３画面存在するので、文書画像を３分割する。つまり、ＨＭＤ９の両画面に異なる分割画像を表示するためである。ただ、説明を簡略にするために、特に断らない限りＨＭＤ９が両眼タイプでも表示画面の双方に同じ内容の画像を表示することにして説明する。つまり、ＨＭＤ９が両眼タイプでも２分割するものとして説明する。
【００４６】
続いて、画像分割部１２は、画像分割対象の業務文書が文字列からなる文書の場合（ステップ１３４でＹ）、前述したように文字の下端を基準線として二分割や三分割するなどの文字列用の分割を施し（ステップ１３５）、一方、画像分割対象の文書が図形を含む文書の場合（ステップ１３４でＮ）、前述したように格子状に分割するなどの図形用の分割を施す（ステップ１３６）。このとき、ＨＭＤ９に表示する分割画像に含まれる、操作パネル６の表示内容を透過して見るための領域は、黒色に画像加工をする。透過型ＨＭＤでの黒色表示は透明になるためである。一方、操作パネル６に表示する分割画像に含まれる、ＨＭＤ９の表示位置に対応する領域は白色に画像加工をする。
【００４７】
ここでは、便宜的に業務文書が文字列又は図形から成る文書かで分岐するようにしたが、文字列と図形が混在している場合には、前述したように所定の規則に従って業務文書画像を分割したり、業務文書画像を解析して文字列と図形の各領域を特定するなどして画像分割すればよい。
【００４８】
秘匿情報全体が操作パネル６に表示されると、同じ公共の場にいる第三者にのぞき見されて秘匿情報が漏洩してしまう可能性がある。従って、画像分割部１２は、画像を分割する際、前述したように秘匿情報がＨＭＤ９の表示画面のみに表示されるように分割する。あるいは、秘匿情報全体が操作パネル６に表示されないように分割して、操作パネル６の表示内容から秘匿情報が判読できないようにする。
【００４９】
以上のようにして画像分割部１２が業務文書画像を分割することで操作パネル用及びＨＭＤ用の分割画像をそれぞれ形成すると、表示制御部１４は、操作パネル用の分割画像を操作パネル６に、ＨＭＤ用の分割画像をＨＭＤ９に、それぞれ表示する（ステップ１４０）。
【００５０】
利用者は、以上のようにして操作パネル６及びＨＭＤ９それぞれに表示された分割画像を位置合わせすることで、業務文書を判読する。一方、利用者の背後にいる第三者は、操作パネル６をのぞき見しても業務文書の分割画像だけでは文書内容を判読できない。
【００５１】
なお、分割対象の画像がカラー画像の場合は、上記のように領域分割でなく色（ＲＧＢ）で分割し、操作パネル６には単一カラーのみを表示するようにしてもよい。
【００５２】
また、表示する業務文書に、頁めくりや文字入力などに利用する、利用者により操作可能なＧＵＩ（グラフィカルユーザインタフェース）部品が含まれている場合、そのＧＵＩ部品をＨＭＤ９に表示すると、利用者による操作は困難になってしまう。そこで、ＧＵＩ部品を含む画像は、ＧＵＩ部品への操作が容易な情報表示装置１０の操作パネル６に表示するようにしてもよい。
【００５３】
この例における画像分割処理について説明する。図１０乃至図１５は情報表示装置１０においてメモ文書の編集を行うアプリケーションプログラムを用いて文書を編集する際の画面表示を説明するのに用いる概念図である。図１０は、一般的な情報表示装置１０の操作パネル６に表示されるメモ文書編集アプリケーションでの表示例である。表示される情報を構成するＧＵＩ部品として、アプリケーションプログラム名表示フィールド１０１として「メモ」、文字情報入力フィールド１０２、文字を入力するための仮想キーボード１０３からなる表示画面である。利用者は、操作パネル６に表示される仮想キーボード１０３を操作することにより、文字情報入力フィールド１０２に入力された文字が表示される。本実施の形態においては、画像分割部１２は、秘匿したい情報からなる分割画像を生成してＨＭＤ９に表示させ、秘匿する必要のない情報からなる分割画像を生成して操作パネル６に表示させる。
【００５４】
図１１は、秘匿したい情報としてＨＭＤ９に表示させる分割画像の一例である。この分割画像による表示態様は以下のとおりである。文字入力フィールド１１２は、文字入力した結果が表示されるため、第三者に見られたくない情報なのでＨＭＤ９に表示されるようにする。また、仮想キーボード１１３を構成する文字入力キーのうち、利用者が実際に操作パネル６を用いて入力している文字入力キーは、ＨＭＤ９に表示するようにする。これは、実際に入力している文字を第三者に見られることを防ぐためである。利用者が操作していない文字入力キーに関しては、ＨＭＤ９には非表示にしてもよいし、図示したように仮想キーボード１１３の枠線のみ表示するように構成してもよい。なお、図１２において、表示されない領域は破線で図示した。以降の説明で用いる図面においても同様である。
【００５５】
図１２は、秘匿する必要のない情報として操作パネル６に表示させる分割画像の一例である。この分割画像による表示態様は以下のとおりである。アプリケーションプログラム名表示フィールド１２１は、特に秘匿すべき情報でないため、「新規メモ」を表示している。文字入力フィールド１２２には、秘匿すべき情報が表示されるので、操作パネル６に表示される分割画像には入力された内容は含まれず、枠線のみ表示するようにしている。なお、図１２では非表示部分なので枠線を破線で図示している。仮想キーボード１２３は、利用者が操作パネル６を操作するための情報なので操作パネル６に表示されるよう分割画像を構成する。ここで、仮想キーボード１２３の全ての文字入力キーを操作パネル６に表示させるのではなく、ＨＭＤ９に表示される文字入力キーと重複する部分は非表示となるようにしてもよい。また、利用者により仮想キーボード１２３のいずれかの文字入力キーが選択されることによって操作パネル６に表示されないフィールド内に選択候補となる文字入力キーが表示されるような場合、例えば、「あ」が選択されると操作パネル６に表示されない入力フィールド１２２内に「う」が表示されることになるが、このような場合、入力フィールド１２２にかかる文字入力キー「う」がＨＭＤ９に、仮想キーボード１２３の表示領域内に表示される文字入力キー「あ」、「い」、「え」及び「お」が操作パネル６に、それぞれ表示されるようにしてもよい。メールアプリケーションにおいても同様に分割画像を形成してよい。
【００５６】
図１３は、一般的な情報表示装置１０の操作パネル６に表示されるメールアプリケーションでの表示例である。表示される情報を構成するＧＵＩ部品として、アプリケーションプログラム名表示フィールド１３１、宛先、件名、本文等の情報の入力フィールド１３２、メールの送信や保存、破棄等の指示入力を行う操作ボタン１３３、入力された文字の変換候補を表示する変換候補表示フィールド１３４、文字を入力するための仮想キーボード１３５からなる表示画面である。利用者は、操作パネル６に表示される仮想キーボード１３５を操作して文字入力を行ったり、操作ボタン１３３を操作してメールの処理を指示することができる。本実施の形態においては、画像分割部１２は、秘匿したい情報からなる分割画像を生成してＨＭＤ９に表示させ、秘匿する必要のない情報からなる分割画像を生成して操作パネル６に表示させる。
【００５７】
図１４は、秘匿したい情報としてＨＭＤ９に表示させる分割画像の一例である。この分割画像による表示態様は以下のとおりである。文字入力フィールド１４２には、仮想キーボード１４５を用いて利用者により文字入力された結果が表示されるため、第三者に見られたくない情報なのでＨＭＤ９に表示されるようにする。また、仮想キーボード１４５により入力された文字列の変換候補を示す変換候補表示フィールド１４４は、利用者が表示された候補文字列の中から選択して入力するための表示であり、秘匿すべき情報に該当するのでＨＭＤ９に表示されるようにする。これら以外のアプリケーションプログラム名表示フィールド１４１、操作ボタン１４３、仮想キーボード１４５は非表示とするようにしてもよいし、枠線のみＨＭＤ９に表示させるように分割画像を構成するようにしてもよい。
【００５８】
図１５は、秘匿する必要のない情報として操作パネル６に表示させる分割画像の一例である。この分割画像による表示態様は以下のとおりである。アプリケーションプログラム名表示フィールド１５１は、特に秘匿すべき情報でないため、「メール作成」を表示している。文字入力フィールド１５２には、入力された宛先やメール本文情報は秘匿すべき情報が表示されるので、操作パネル６に表示される分割画像には入力された内容は含まれず、枠線のみ表示するようにしている。また、変換候補表示フィールド１５４には、選択された変換候補文字列が表示されるので、秘匿すべき情報であり、非表示としている。メールの送信や保存、破棄等の指示入力を行う操作ボタン１５３と仮想キーボード１５５は、利用者が操作パネル６を操作するための情報であり、操作パネル６に表示されるよう分割画像を構成する。
【００５９】
また、本実施の形態においては、本発明に係る情報表示装置を、スマートホンやタブレット端末等の携帯端末に適用した場合を例にして説明したが、必ずしも携帯性の有無によって限定する必要はなく、情報を表示しうるコンピュータであれば卓上型のパーソナルコンピュータ（ＰＣ）等で実現してもよい。
【００６０】
また、情報表示装置１０に複数のＨＭＤ９を接続し、複数のＨＭＤ９に同じ分割画像を表示させることで、複数の利用者に同じ業務文書を同時に閲覧できるように構成してもよい。
【００６１】
実施の形態２．
図１６は、本実施の形態における情報表示システムの一実施の形態を示したブロック構成図である。なお、実施の形態１と同じ構成には同じ符号を付け説明を適宜省略する。本実施の形態における情報表示システムは、実施の形態１に示した構成に、カメラ画像取得部１６、基準情報取得部１７、画像補正部１８及び基準情報記憶部１９を追加した構成を有している。本実施の形態において使用する情報表示装置１０は、撮影手段としてのカメラが搭載されたスマートホンやタブレット端末等のコンピュータを想定している。この情報表示装置１０の一例を図１７に示すが、本実施の形態におけるカメラのレンズ８は、第１画像を表示する操作パネル６と同じ面、換言すると利用者が装着したＨＭＤ９と対向する面に配設されている。
【００６２】
カメラ画像取得部１６は、そのカメラによる撮像データ（以下、「カメラ画像」とも称する）を取得する。基準情報取得部１７は、取得手段として設けられ、情報表示装置１０に対してＨＭＤ９が基準位置にあるときにカメラにより撮影されたＨＭＤ９の撮像データからＨＭＤ９に関する基準情報を取得し、基準情報記憶部１９に登録する。画像補正部１８は、補正手段として設けられ、業務文書画像が表示されるときに操作パネル６を見る利用者装着のＨＭＤ９をカメラに撮影させ、その撮影により得られた撮像データ及び基準情報記憶部１９に記憶された基準情報に基づいて、情報表示装置１０の操作パネル６及びＨＭＤ９の透過型表示画面それぞれに分割して表示される第１画像及び第２画像によって業務文書画像が形成されるように第２画像を補正する。本実施の形態における表示制御部１４は、画像補正部１８により補正された第２画像をＨＭＤ９に表示するよう制御することになる。
【００６３】
なお、情報表示装置１０は、カメラを必要とする以外、ハードウェア構成は実施の形態１と同じでよい。情報表示装置１０における構成要素１６〜１８は、情報表示装置１０を形成するコンピュータと、コンピュータに搭載されたＣＰＵ１で動作するプログラムとの協調動作により実現される。基準情報記憶部１９は、ＨＤＤ４で実現するが、ＲＡＭ３で実現してもよい。
【００６４】
ところで、画像分割部１２は、情報表示装置１０及びＨＭＤ９にそれぞれ表示する分割画像を形成する。なお、本実施の形態においても表示対象の業務文書画像を情報表示装置１０用の第１画像とＨＭＤ９用の第２画像とに二分割する場合を例にして説明する。画像分割部１２により形成される分割画像は、１つの画像を単に分割するだけである。従って、実施の形態１では、利用者が操作パネル６を、図５に示した黒色部分に図４に示した表示された文字部分を合致するよう、つまり第１画像と第２画像とが結合したかのように位置合わせをして、図３に示した業務文書を形成し閲覧するように説明した。ただ、実際には、利用者にとってみれば、ＨＭＤ９と情報表示装置１０それぞれに表示される画像位置の微調整が面倒あるいは大変であるかもしれない。また、利用者は、業務文書を真正面から閲覧するより、読むときの癖によって例えば上目遣いや顔を若干傾けたりして閲覧する方が楽かもしれない。このため、分割画像を単に表示させただけでは位置合わせしたとしても第１画像と第２画像との境目が若干ずれてしまう可能性がある。
【００６５】
そこで、本実施の形態では、実施の形態１に対し、ＨＭＤ９と情報表示装置１０との位置関係（第１画像と第２画像との位置関係）に応じて第２画像を補正する画像処理を施すことによって第１画像に第２画像が合致してＨＭＤ９に表示されるようにしたことを特徴としている。
【００６６】
図１８は、本実施の形態において利用するＨＭＤ９の斜視図であり、図１９（ａ）はＨＭＤ９を上方から見たときの概略的な平面図、図１９（ｂ）はＨＭＤ９を側方から見たときの概略的な側面図である。本実施の形態におけるＨＭＤ９には、カメラ画像を解析する際にカメラにより撮影されたＨＭＤ９の位置がわかるようにするための基準位置部材（以下、「特定印」と称する）９１が設けられている。本実施の形態では、後述する計算が簡単となるように両目の中間（眼鏡の中心）に配設するようにしたが、これに限定する必要はない。また、本実施の形態では、利用者が情報表示装置１０の操作パネル６を上下左右にずれた位置から見たときでもカメラ画像上歪みがないように特定印９１を球形状としたが、歪みが出にくい形状であればこの球形状に限定する必要はない。また、図１９（ａ）のみに示したが、ＨＭＤ９の幅を示すための幅指示部材０２ａをＨＭＤ９の左右端それぞれに配設してもよい。また、図１９（ｂ）のみに示したが、ＨＭＤ９の高さを示すための高さ指示部材９２ｂをＨＭＤ９の上下端それぞれに配設してもよい。
【００６７】
本実施の形態では、文書画像の表示処理を実行させる前に、基準情報を準備しておく必要があるので、基準情報取得部１７が実施する基準情報の取得処理から説明する。
【００６８】
図２０は、ＨＭＤ９に設けられた特定印９１と情報表示装置１０のカメラのレンズ８とカメラ画像２０との関係を示した図である。特定印９１は、ＨＭＤ９を装着した利用者が情報表示装置１０の操作パネル６を見るときに操作パネル６と対向するＨＭＤ９の前面に設けられている。まず、情報表示装置１０から、特定印９１の中心がレンズ８の中心から基準距離（例えば、１０００ｍｍ）離れた場所にＨＭＤ９を配置し、基準情報取得部１７は、特定印９１の撮影画像２２がカメラ画像２０の中心にくるようにカメラに撮影させる。そして、基準情報取得部１７は、このカメラ画像２０からＨＭＤ９に関する基準情報として、カメラ画像２０における特定印９１の画像に関するデータ、例えば直径ａを基準情報記憶部１９に登録しておく。なお、本実施の形態では、基準情報として直径を用いるが、カメラ画像２０における特定印９１の画像に関するデータであれば、その他にカメラ画像２０における画素数、半径、円周、面積等でもよい。更に、ＨＭＤ９に表示する第２画像の画像サイズも基準情報記憶部１９に登録しておく。
【００６９】
また、後述するように、カメラ画像２０からＨＭＤ９の幅（実際には特定印９１から一方の端までの長さ）及び高さを得る必要があるので、ＨＭＤ９全体を撮影しておき、カメラ画像２０における基準位置にあるＨＭＤ９の幅と高さを求めて基準情報として基準情報記憶部１９に登録しておくことが望ましい。
【００７０】
次に、本実施の形態における情報表示システムに文書画像を表示する表示処理について図２１に示したフローチャートを用いて説明する。本実施の形態は、実施の形態１における画像分割処理（ステップ１３０）において分割により形成された第２画像（ＨＭＤ９への表示用画像）に対して補正を行う画像補正処理（ステップ２１０）を特徴とし、それ以外の処理は実施の形態１と同じでよい。従って、本実施の形態において特徴的な第２画像の補正処理について図２２に示したフローチャートを用いて説明し、それ以外の処理の説明は適宜省略する。
【００７１】
ステップ１３０において分割画像をステップ１４０において業務文書画像が表示されるとき、処理制御部１５は、その前に、カメラ画像取得部１６を起動し、操作パネル６を見る利用者装着のＨＭＤ９を撮影させてカメラ画像を取得させる（ステップ２１１）。この取得したカメラ画像の一例を図２３（ａ）に示す。図２３（ａ）に示すように、カメラ画像２０には特定印９１の画像（以下「特定印画像」）２４が含まれている。この例のように特定印画像２４は、必ずしもカメラ画像２０の中心点２３に撮影されるとは限らない、つまり、利用者は、情報表示装置１０の操作パネル６を顔の真正面に位置させているとは限らず、情報表示装置１０が上下左右にずれた位置にあることが少なくない。また、情報表示装置１０とＨＭＤ９との距離には個人差があると考えられる。従って、上下左右のずれや情報表示装置１０がＨＭＤ９との距離によって異なってくる画像サイズの調整（拡縮）等が必要となってくる。画像補正部１８は、具体的には次のようにして補正に必要なずれ量等を求める。
【００７２】
図２３（ｂ）は、図２３（ａ）に示したカメラ画像２０に補助線等を付加した図である。画像補正部１８は、カメラ画像２０を解析することで北（上）方向を０°とした左手系北基準として特定印画像２４の角度γと、中心点２３から距離Ｄを予め求めておく。
【００７３】
図２４は、カメラ画像２０上における特定印画像２４と特定印９１との垂直方向の位置関係を示した図である。画像補正部１８は、まず情報表示装置１０（厳密にはレンズ８の中心）からＨＭＤ９(厳密には特定印９１の中心)まで直線距離Ａ離れているという位置関係のときの、レンズ８の中心（カメラ画像２０の中心点２３）から特定印９１の中心までの垂直方向のずれ量（距離Ｃｖ）を求める。まず、カメラ画像２０における特定印画像２４の直径ａ´は、カメラ画像２０を解析することで得られるが、この直径ａ´は、情報表示装置１０からＨＭＤ９までの距離は長くなれば小さくなる、つまり距離に反比例する。なお、直線距離Ａ＝１０００×ａ／ａ´と算出できる。ただし、ａは基準距離で測定されたカメラ画像２０上における特定印画像２４の直径である。そして、カメラ画像２０における中心点２３から特定印画像２４までの垂直方向の距離ｃｖはＤｓｉｎγで既知の値なので、垂直方向の距離Ｃｖ＝ｃｖ×ａ／ａ´と算出できる。同様にして、レンズ８の中心（カメラ画像２０の中心点２３）から特定印９１の中心までの水平方向のずれ量（距離Ｃｈ）を求める。カメラ画像２０における中心点２３から特定印画像２４までの水平方向の距離ｃｈはＤｃｏｓγで既知の値なので、垂直方向の距離Ｃｈ＝ｃｈ×ａ／ａ´と算出できる。画像補正部１８は、以上のようにしてカメラ画像２０の中心点２３（基準画像における特定印画像の中心）に対する特定印画像２４の垂直及び水平方向のずれ量Ｃｖ，Ｃｈを算出する（ステップ２１２）。
【００７４】
続いて、画像補正部１８は、情報表示装置１０に対するＨＭＤ９の傾きを求める。図２５は、情報表示装置１０に対するＨＭＤ９の水平方向の傾きを示した図である。図２５において、長さαは、情報表示装置１０から距離Ａ離れた（厳密には、更に特定印９１の半径分離れた）ＨＭＤ９の特定印９１の位置から左端までの長さである。長さβは、長さαの眼鏡部分を撮像したカメラ画像から算出される当該眼鏡部分の長さである。長さαは基準情報として予め求められている。ＨＭＤ９の水平方向の傾き角度をθで表すとすると、β＝αｃｏｓθが成り立つのでこの式から角度θは算出される。
【００７５】
図２６は、情報表示装置１０に対するＨＭＤ９の垂直方向の傾きを示した図である。図２６において、長さηは、情報表示装置１０から距離Ａ離れた（厳密には、更に特定印９１の半径分離れた）ＨＭＤ９の特定印９１の位置から下端までの長さである。長さζは、長さηの眼鏡部分を撮像したカメラ画像から算出される当該眼鏡部分の長さである。長さηは基準情報として予め求められている。ＨＭＤ９の垂直方向の傾き角度をδで表すとすると、ζ＝ηｃｏｓδが成り立つのでこの式から角度δは算出される。画像補正部１８は、以上のようにして情報表示装置１０に対するＨＭＤ９の垂直及び水平方向の傾きを算出する（ステップ２１３）。なお、ステップ２１２とステップ２１３はどちらを先に実施してもよい。
【００７６】
続いて、画像補正部１８は、基準距離で得られた特定印９１の撮影画像２２の直径ａ及び業務文書画像表示のタイミングで得たカメラ画像２０における特定印画像２４の直径ａ´、そして上記処理にて算出したずれ量Ｃｖ，Ｃｈ及び傾き角度θ，δを用いてＨＭＤ９に表示する第２画像を調整するよう補正する（ステップ２１４）。
【００７７】
まず、画像補正部１８は、距離Ａ離れていることに基づき第２画像を拡縮する。具体的には、基準距離での第２画像の画像サイズをＳとすると、補正後の画像サイズＳ´＝Ｓ×ａ´／ａと算出する。つまり、ＨＭＤ９が情報表示装置１０から基準距離より離れると第２画像の画像サイズを縮小してＨＭＤ９に表示することになる。画像補正部１８は、このように業務文書画像表示のタイミングで得たカメラ画像２０に含まれる特定印９１の大きさと基準情報から得られる特定印９１の大きさとの関係に基づいて第２画像の大きさを調整することで情報表示装置１０に表示される分割画像（第１画像）とＨＭＤ９に表示される分割画像（第２画像）との画像の大きさのずれを補正する。
【００７８】
また、画像補正部１８は、ＨＭＤ９の表示画面に表示される第２画像の表示位置を、表示する標準位置から垂直方向Ｃｖ及び水平方向Ｃｈずらす。図２３の例によると、特定印画像２４が中心点２３から右上の方にずれているということは、利用者は、情報表示装置１０を図２０に示した基準位置に対して左下の位置で持っているので、第２画像のＨＭＤ９における表示位置を左下の方へずらして表示することになる。画像補正部１８は、このように業務文書画像表示のタイミングで得たカメラ画像２０に含まれる特定印９１の位置と基準情報から得られる特定印９１の位置との関係に基づいて第２画像のＨＭＤ９における表示位置を調整することで第１画像と第２画像との位置ずれを補正する。
【００７９】
更に、画像補正部１８は、ＨＭＤ９の表示画面に表示される第２画像を歪ませるよう補正する。具体的には、画像分割部１２により生成された第２画像は真正面から見たときの画像なので、これを真正面から見たときの状態から水平方向に角度θ分歪むよう第２画像を画像補正する。同様に垂直方向に角度δ分歪むよう第２画像を画像補正することで真正面から斜視した状態の第２画像を形成する。画像補正部１８は、このように業務文書画像表示のタイミングで得たカメラ画像２０に含まれるＨＭＤ９の大きさ（幅及び高さ）と基準情報から得られるＨＭＤ９の大きさとの関係に基づいて第２画像を歪ませることで第１画像に対する第２画像の傾きを補正する。
【００８０】
以上のようにして第２画像が補正されると、表示制御部１４は、操作パネル用の分割画像（第１画像）を操作パネル６に、画像補正部１８により補正されたＨＭＤ用の分割画像（第２画像）をＨＭＤ９に、それぞれ表示する（ステップ１４０）。
【００８１】
本実施の形態においては、以上のようにして情報表示装置１０とＨＭＤ９との位置関係に応じてＨＭＤ９に表示される第２画像を補正するようにしたので、業務文書を読むときの情報表示装置１０を持つ手の位置によらずに、情報表示装置１０に表示される第１画像とＨＭＤ９に表示される第２画像との境目のずれを消失した状態にて業務文書が表示されることになる。
【符号の説明】
【００８２】
１  ＣＰＵ、２  ＲＯＭ、３  ＲＡＭ、４  ハードディスクドライブ（ＨＤＤ）、５  ネットワークコントローラ、６  操作パネル、７  内部バス、９  ヘッドマウントディスプレイ（ＨＭＤ）、１０  情報表示装置、１１  画像取得部、１２  画像分割部、１３  ＨＭＤ接続部、１４  表示制御部、１５  処理制御部、１６  カメラ画像取得部、１７  基準情報取得部、１８  画像補正部、１９  基準情報記憶部。
【図１】
2015184920.tif 000003
【図２】
2015184920.tif 000004
【図３】
2015184920.tif 000005
【図４】
2015184920.tif 000006
【図５】
2015184920.tif 000007
【図６】
2015184920.tif 000008
【図７】
2015184920.tif 000009
【図８】
2015184920.tif 000010
【図９】
2015184920.tif 000011
【図１０】
2015184920.tif 000012
【図１１】
2015184920.tif 000013
【図１２】
2015184920.tif 000014
【図１３】
2015184920.tif 000015
【図１４】
2015184920.tif 000016
【図１５】
2015184920.tif 000017
【図１６】
2015184920.tif 000018
【図１７】
2015184920.tif 000019
【図１８】
2015184920.tif 000020
【図１９】
2015184920.tif 000021
【図２０】
2015184920.tif 000022
【図２１】
2015184920.tif 000023
【図２２】
2015184920.tif 000024
【図２３】
2015184920.tif 000025
【図２４】
2015184920.tif 000026
【図２５】
2015184920.tif 000027
【図２６】
2015184920.tif 000028